(57)【要約】【課題】アンテナ装置において、アンテナエレメントとグランドの相対位置を精度良く規定する。【解決手段】ジョイント１６は、同軸ケーブル１８を固定するケーブル収容溝を有する。さらに、ケーブル収容溝の両側に、アンテナエレメントを取り付け固定するエレメント結合部２６およびグランドを取り付け固定するグランド結合部２８を有する。エレメント結合部およびグランド結合部には、それぞれ係合突起４０，４４が設けられ、これらがアンテナエレメントおよびグランドに設けられた係合穴と係合して、ジョイント１６に対する位置、およびアンテナエレメントとグランドの相対位置を規定する。【選択図】図３
2008258883.tif 000002
【特許請求の範囲】
【請求項１】
アンテナエレメントと、
グランドと、
内導体がアンテナエレメントと、外導体がグランドと接続する同軸ケーブルと、
アンテナエレメントとグランドが取り付けられ、これらを結合する結合部材と、
を有し、
前記結合部材は、
アンテナエレメントに設けられた係合構造と係合し、アンテナエレメントを位置決    めして、これと結合するエレメント結合部と、
グランドに設けられた係合構造と係合して、グランドを位置決めして、これと結合す  るグランド結合部と、
を有する、
アンテナ装置。
【請求項２】
請求項１に記載のアンテナ装置であって、
前記結合部材は、エレメント結合部とグランド結合部の間に位置し、かつ同軸ケーブルが固定されるケーブル固定部を有し、
ケーブル固定部は、同軸ケーブルを収める溝を規定する第１および第２の壁を含み、
第１の壁は、同軸ケーブルとエレメント結合部の間に位置してこれらを隔て、
第２の壁は、同軸ケーブルとグランド結合部の間に位置してこれらを隔て、
さらに、第１の壁は内導体を位置決めする第１の切り欠きを有し、第２の壁は外導体を位置決めする第２の切り欠きを有する、
アンテナ装置。
【請求項３】
請求項２に記載のアンテナ装置であって、
アンテナエレメントは前記係合構造として係合穴を有し、エレメント結合部は、この係合穴と係合する係合突起を備え、係合穴と係合突起が係合してアンテナエレメントが位置決めされる、
アンテナ装置。
【請求項４】
請求項２に記載のアンテナ装置であって、
グランドは前記係合構造として係合穴を有し、グランド結合部は、この係合穴と係合する係合突起を備え、係合穴と係合突起が係合してグランドが位置決めされる、
アンテナ装置。
【請求項５】
アンテナ装置のアンテナエレメントとグランドが取り付けられて、これらを結合する結合部材であって、
アンテナエレメントに設けられた係合構造と係合し、アンテナエレメントを位置決めして、これと結合するエレメント係合部と、
グランドに設けられた係合構造と係合し、グランドを位置決めして、これと結合するグランド結合部と、
を有するアンテナ装置の結合部材。
【請求項６】
請求項５に記載のアンテナ装置の結合部材であって、さらに、
エレメント係合部とグランド結合部の間に、内導体がアンテナエレメントに接続し、外導体がグランドに接続する同軸ケーブルが固定されるケーブル固定部、
を有し、
ケーブル固定部は、同軸ケーブルを収める溝を規定する第１および第２の壁を含み、
第１の壁は、同軸ケーブルとエレメント結合部の間に位置してこれらを隔て、
第２の壁は、同軸ケーブルとグランド結合部の間に位置してこれらを隔て、
さらに、第１の壁は内導体を位置決めする第１の切り欠きを有し、第２の壁は外導体を位置決めする第２の切り欠きを有する、
アンテナ装置の結合部材。
【発明の詳細な説明】
【技術分野】
【０００１】
本発明は、アンテナ装置に関する。
【背景技術】
【０００２】
アンテナ装置において、電波の送受信を行うアンテナエレメントと、グランドとの位置関係が、アンテナの性能に影響することが知られている。図５に示す従来のアンテナ装置１００においては、平板状のアンテナエレメント１０２およびグランド１０４を略同一平面上に配置し、これを２枚のラミネート材料１０６で挟持して、これらを一体化している。下記特許文献１においては、アンテナエレメントをラミネート材料で挟持した例が示されている。
【０００３】
【特許文献１】特開２００５−３１８２０３
【発明の開示】
【発明が解決しようとする課題】
【０００４】
上述の従来のアンテナ装置においては、アンテナエレメントとグランドの相対的な位置決めの精度が十分ではなかった。
【０００５】
本発明は、アンテナエレメントとグランドの相対的な位置を精度良く規定する構造を提供する。
【課題を解決するための手段】
【０００６】
本発明のアンテナ装置は、アンテナエレメントとグランドが取り付けられ、これらを結合する結合部材によって、アンテナエレメントとグランドの相対的な位置関係を規定する。結合部材は、アンテナエレメントに設けられた係合構造と係合して、アンテナエレメントを位置決めして、これと結合するエレメント結合部を有する。また、グランドに設けられた係合構造と係合して、グランドを位置決めして、これと結合するグランド結合部を有する。
【０００７】
結合部材は、同軸ケーブルを固定するケーブル固定部を有するようにできる。ケーブル固定部は、エレメント結合部とグランド結合部の間に位置するようにできる。ケーブル固定部は、同軸ケーブルを収める溝を規定する第１および第２の壁を含むようにできる。第１の壁は、同軸ケーブルとエレメント結合部の間に位置してこれらを隔てる。第２の壁は、同軸ケーブルとグランド結合部の間に位置してこれらを隔てる。さらに、第１の壁は、アンテナエレメントに接続される同軸ケーブルの内導体を位置決めする第１の切り欠きを有するようにでき、第２の壁は、グランドに接続される同軸ケーブルの外導体を位置決めする第２の切り欠きを有するようにできる。
【０００８】
結合部材とアンテナエレメントの位置決めは、エレメント結合部に設けられた係合突起と、アンテナエレメントに設けられた係合穴とを係合して達成されるようにできる。
【０００９】
結合部材とグランドの位置決めは、グランド結合部に設けられた係合突起と、グランドに設けられた係合穴とを係合して達成されるようにできる。
【発明の効果】
【００１０】
アンテナエレメントとグランドの相対位置を精度良く定められる。
【発明を実施するための最良の形態】
【００１１】
以下、本発明の実施形態を、図面に従って説明する。図１は、本発明のアンテナ装置１０の概略構成を示す斜視図である。アンテナ装置１０は、平板状のアンテナエレメント１２、同じく平板状のグランド１４を有する。アンテナエレメント１２とグランド１４は絶縁体のジョイント１６に取り付けられ、固定されている。ジョイント１６には同軸ケーブル１８が固定され、同軸ケーブルの内導体２０がアンテナエレメント１２に、外導体２２がグランド１４にはんだ付けにより接続されている。同軸ケーブル１８の他端は、回路基板等に実装された送受信回路（不図示）に接続されている。
【００１２】
図２はジョイント１６を単独で示す図であり、図３はジョイント１６に同軸ケーブル１８を固定した状態を示す図であり、アンテナエレメント１２とグランド１４は省略されている。図２に示すように、ジョイント１６は概略方形の板形状である。中央部に同軸ケーブル１８が固定されるケーブル固定部２４を有し、その両側方にエレメント結合部２６とグランド結合部２８を有している。
【００１３】
ケーブル固定部２４は、二つの壁３０，３２により規定され、同軸ケーブル１８が収まるケーブル収容溝３４を有する。第１の壁３０は、エレメント結合部２６のアンテナエレメント１２が取り付けられる面より高く設けられており、ケーブル収容溝３４に収まった同軸ケーブル１８とアンテナエレメント１２とを隔てる。第２の壁３２も、グランド結合部２８のグランドが取り付けられる面より高く設けられており、同軸ケーブル１８とグランド１４とを隔てる。エレメント結合部２６のアンテナエレメントが取り付けられる面（以下、エレメント取り付け面と記す。）と、グランド結合部２８のグランドが取り付けられる面（以下、グランド取り付け面と記す。）とは、同一平面内に位置するようにでき、さらに、この平面に沿う方向に、ケーブル収容溝３４を形成することができる。
【００１４】
ケーブル収容溝３４は、ジョイント１６の端寄りに位置し内径の大きな大径部３４ａと、接合部材の中央寄りに位置し小さな内径を有する小径部３４ｂを有する。大径部３４ａに対応する位置の第１の壁３０の部分３０ａ（図３参照）は薄く、小径部３４ｂに対応する位置の部分３０ｂ（図３参照）は厚くなっている。第２の壁３２も同様に厚さの薄い部分３２ａと厚い部分３２ｂとが形成されている。大径部３４ａの内径は、同軸ケーブル１８の外径に対応しており、これを収めることができる。小径部３４ｂの内径は、同軸ケーブルの内導体２０の直径に対応し、これを収めることができる。
【００１５】
第１の壁の部分３０ｂには、第１の切り欠き３６が設けられており、ここに同軸ケーブル１８の内導体２０が位置決めされる。内導体２０は、ここを通過してエレメント結合部２６に向けて延びる。第２の壁の部分３２ａと、部分３２ｂに隣接する位置には、第２の切り欠き３８が設けられており、ここに同軸ケーブル１８の外導体２２が位置決めされる。外導体２２は、ここを通過してグランド結合部２８に向けて延びる。第１の切り欠き３６は、ケーブル収容溝３４の、その長さ方向において中央の位置に設けられている。この中央の位置に関し、ケーブル収容溝３４は対称な形状を有しており、図２中右側にも大径部、小径部、第２の切り欠きが設けられている。
【００１６】
エレメント結合部２６のエレメント取り付け面には２個の係合突起４０が設けられている。この係合突起４０は、アンテナエレメント１２に設けられた係合穴４２と係合して、ジョイント１６とアンテナエレメント１２の相対的な位置関係を規定する。これにより、ジョイント１６の第１の切り欠き３６とアンテナエレメント１２の位置関係も規定され、アンテナエレメント上のはんだ付けの位置（図中、符号４８で示す。）も精度良く決めることができる。このはんだ付けの位置、すなわち給電点の位置は、アンテナの性能に影響を与え、この位置精度が高まることにより、アンテナの性能も安定する。
【００１７】
グランド結合部２８にも２個の係合突起４４が設けられている。これらの係合突起４４は、グランド１４に設けられた係合穴４６と係合してジョイント１６とグランド１４の相対的な位置関係を規定する。これらの、エレメント結合部２６の係合構造とグランド結合部２８の係合構造により、アンテナエレメント１２とグランド１４の相対的な位置関係も決定される。なお、係合突起４０，４４およびこれらに対応する係合穴４２，４６の数は、２個に限らない。係合突起４０，４４をそれぞれ１個とし、この突起回りのアンテナエレメント１２およびグランド１４の動きは、第１の壁３０および第２の壁３２で規制するようにしてもよい。また、３個以上とすることもできる。
【００１８】
同軸ケーブルの内外の導体２０，２２をはんだ付けした後、図４に、一点鎖線で示すように、ジョイント１６上部をホットメルト５０により覆い、内外の導体２０，２２が露出した部分を封止するようにできる。
【００１９】
内外の導体２０，２２は、はんだ付けだけでなく、かしめ、圧入、溶着等によりアンテナエレメント１２またはグランド１４に接続するようにしてもよい。また、グランドは、ボルト、ナット、およびこれらと共に用いるワッシャ等でもよい。アンテナエレメントは、ロッド形状、ヘリカル形状のものでもよい。
【００２０】
［付記］
アンテナ装置であって、
アンテナエレメントと、
グランドと、
内導体がアンテナエレメントと、外導体がグランドと接続する同軸ケーブルと、
アンテナエレメントとグランドが取り付けられ、これらを結合する結合部材と、
を有し、
前記結合部材は、
アンテナエレメントが位置決めされて、固定されるエレメント結合部と、
グランドが位置決めされて、固定されるグランド結合部と、
エレメント結合部とグランド結合部の間に位置し、かつ同軸ケーブルが固定されるケーブル固定部と、
を有し、
ケーブル固定部は、
同軸ケーブルを収める溝を規定する第１および第２の壁を含み、
第１の壁は、同軸ケーブルとエレメント結合部の間に位置してこれらを隔て、
第２の壁は、同軸ケーブルとグランド結合部の間に位置してこれらを隔て、
さらに、第１の壁は内導体を位置決めする第１の切り欠きを有し、第２の壁は外導体  を位置決めする第２の切り欠きを有する、
アンテナ装置。
【図面の簡単な説明】
【００２１】
【図１】本実施形態のアンテナ装置の概略構成を示す図である。
【図２】アンテナ装置の結合部材であるジョイントの詳細形状を示す図である。
【図３】ジョイントに同軸ケーブルを固定した状態を示す図である。
【図４】ジョイントを覆うホットメルトを示す図である。
【図５】従来のアンテナ装置の例を示す図である。
【符号の説明】
【００２２】
１０  アンテナ装置、１２  アンテナエレメント、１４  グランド、１６  ジョイント（結合部材）、１８  同軸ケーブル、２０  内導体、２２  外導体、２４  ケーブル固定部、２６  エレメント結合部、２８  グランド結合部、３０  第１の壁、３２  第２の壁、３４  ケーブル収容溝、３６  第１の切り欠き、３８  第２の切り欠き、４０，４４  係合突起、４２，４６  係合穴。
【図１】
2008258883.tif 000003
【図２】
2008258883.tif 000004
【図３】
2008258883.tif 000005
【図４】
2008258883.tif 000006
【図５】
2008258883.tif 000007